(57)【要約】【課題】容易に開封可能であり、内容物が内側に密に収容されていても、簡単な操作で開封することができる開封補助機能付包装用箱を提供する。【解決手段】上蓋片５６に連接し対向する側面１６の裏面に係止される差込片６０と、差込片６０に係止される側面１６に設けられた開封口形成部である封止用糊付片３９と、封止用糊付片３９に隣接する開封補助片４７を備える。封止用糊付片３９は、側面１６の端部に交差する一対の破断線４０と、破断線４０の先端どうしを連結する切断線４２で区切られている。開封補助片４７は、封止用糊付片３９の一方の破断線４０と、封止用糊付片３９から離れた位置を結ぶ開封補助折罫線４６とで区切られている。【選択図】図１
2011011750.tif 000002
【特許請求の範囲】
【請求項１】
１枚のブランクシートから一体的に打ち抜かれた箱体形成片からなり、互いに平行に連接された側面と、前記一側面から連なって組み立て状態で連接された側面で形成される一開口端部を閉鎖する上蓋片と、前記上蓋片に連接し対向する前記側面の裏面に係止される差込片と、前記差込片に係止される前記側面に設けられた開封口形成部と、前記開封口形成部に隣接する開封補助片が設けられ、前記開封口形成部は、前記側面の端部に交差する一対の破断線と、前記破断線の側面の中心側の先端どうしを連結する切断線で区切られて設けられ、前記開封補助片は、前記開封口形成部の一方の破断線と、前記破断線の先端と前記側面の開口端部で前記開封口形成部から離れた位置を結ぶ開封補助折罫線とで区切られて設けられていることを特徴とする開封補助機能付包装用箱。
【請求項２】
前記開封口形成部は、前記差込片に糊付けされる封止用糊付片であることを特徴とする請求項１記載の開封補助機能付包装用箱。
【請求項３】
前記開封補助片は、前記開封口形成部の一方の破断線と、前記破断線の先端に連続し前記開封口形成部から離れる方向に延出する切込線と、前記切込線の先端に連続する前記開封補助折罫線とで区切られた変形の四角形に形成され、前記開封補助折罫線の、前記開口端部側の端部は、前記側面の角部に達していることを特徴とする請求項１記載の開封補助機能付包装用箱。
【発明の詳細な説明】
【技術分野】
【０００１】
この発明は、開封を容易にした構造の開封補助機能付包装用箱に関する。
【背景技術】
【０００２】
従来、１枚のブランクシートから一体に打ち抜かれた箱体形成片を組み立てた包装用箱には、互いに平行に連接された側面と、前記側面から連なって箱体上面の開口部を閉鎖する上蓋片と、上蓋片に連接し対向する側面に糊付けされる差込片が設けられたものがある。また、糊付けされた差込片の開封を容易にした構造のものもある。特許文献１に開示されている開封口付包装箱は、差込片が重ねられる側面の端部に破断線に囲まれた開封口が設けられているものである。開封口には、切り込みで囲まれた押圧部と、押圧部の近傍に設けられたつまみ代が設けられている。そして開封口は、差込片に糊付けされている。この開封口付包装箱を開封するときは、押圧部を押すとつまみ代が起き上がって指でつまみやすくなり、つまみ代を指で引き起こすことにより破断線が切断されて、開封口が側面から分離し、開封可能となる。
【先行技術文献】
【特許文献】
【０００３】
【特許文献１】特開２００６−８９１０６号公報
【発明の概要】
【発明が解決しようとする課題】
【０００４】
上記背景技術の場合、押圧部を押すことでつまみ代が起き上がるものであるが、内容物が密に収容されている場合は、押し込むことが困難な場合がある。また、開封口を指でつまんで開封するものであり、指先が不自由な人が開封しにくい場合がある。
【０００５】
この発明は、上記背景技術の問題点に鑑みてなされたものであり、容易に開封可能であり、内容物が内側に密に収容されていても簡単な操作で開封することができる開封補助機能付包装用箱を提供することを目的とする。
【課題を解決するための手段】
【０００６】
本発明は１枚のブランクシートから一体的に打ち抜かれた箱体形成片からなり、互いに平行に連接された側面と、前記一側面から連なって組み立て状態で連接された側面で形成される一開口端部を閉鎖する上蓋片と、前記上蓋片に連接し対向する前記側面の裏面に係止される差込片と、前記差込片に係止される前記側面に設けられた開封口形成部と、前記開封口形成部に隣接する開封補助片が設けられている開封補助機能付包装用箱である。前記開封口形成部は、前記側面の端部に交差する一対の破断線と、前記破断線の側面の中心側の先端どうしを連結する切断線で区切られて設けられている。前記開封補助片は、前記開封口形成部の一方の破断線と、前記破断線の先端と前記側面の開口端部で前記開封口形成部から離れた位置を結ぶ開封補助折罫線とで区切られて設けられている。
【０００７】
前記開封口形成部は、前記差込片に糊付けされる封止用糊付片である。
【０００８】
また、前記開封補助片は、前記開封口形成部の一方の破断線と、前記破断線の先端に連続し前記開封口形成部から離れる方向に延出する切込線と、前記切込線の先端に連続する前記開封補助折罫線とで区切られた変形の四角形に形成されている。前記開封補助折罫線の、前記開口端部側の端部は、前記側面の角部に達している。前記開封補助片の、前記開封口形成部に隣接する角部は、面取りされている。
【発明の効果】
【０００９】
本発明の開封補助機能付包装用箱は、簡単な操作により弱い力でも開封することができる。さらに、内側に内容物が密に収容されているときも、内容物を損傷せずに、容易に開封することができる。
【図面の簡単な説明】
【００１０】
【図１】この発明の一実施形態の開封補助機能付包装用箱の開封する工程を示す斜視図である。
【図２】この実施形態の開封補助機能付包装用箱の開封前の斜視図である。
【図３】この実施形態の開封補助機能付包装用箱の展開図である。
【発明を実施するための形態】
【００１１】
以下、この発明の実施形態について図面に基づいて説明する。図１〜図３はこの発明の一実施形態を示すもので、この実施形態の開封補助機能付包装用箱１０は、厚紙等の１枚のブランクシートを打ち抜いて形成された箱体形成片１２を組み立てて形成されている。
【００１２】
図３は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が短くて互いにほぼ等しく、側面１６，２０はやや長くて互いにほぼ等しい。さらに側面２０の側縁部には、開封補助機能付包装用箱１０の組立状態で側面１４の裏面に糊付けされる糊付片２２が設けられている。側面１４，１６，１８，２０、糊付片２２は、各々折罫線２４，２６，２８，３０で区切られている。
【００１３】
側面１４において、側面同士の連接方向に対して直角な方向の一端部には、台形状の上フラップ３２が折罫線３４で区切られて設けられている。側面１４の、折罫線３４と反対側の端部には、台形状の底フラップ３６が折罫線３８で区切られて設けられている。
【００１４】
側面１６の、側面１４の折罫線３４に隣接する端部１６ａは、開封補助機能付包装用箱１０の組み立て状態で開口端部となるものである。側面１６の端部１６ａの中心には、開封口形成部である封止用糊付片３９が設けられている。封止用糊付片３９は、側面１６の端部１６ａに交差する一対の破断線４０と、破断線４０の側面１６の中心側の先端どうしを連結する切断線４２で周囲と区切られている。一対の破断線４０は、端部１６ａから離れるに従い互いに近づくように傾斜して形成され、封止用糊付片３９は逆台形状に形成されている。封止用糊付片３９の両側には、端部１６ａに隣接する一対の開封補助片４７が設けられている。開封補助片４７は、封止用糊付片３９の破断線４０と、破断線４０の側面１６中心側の先端に連続し封止用糊付片３９から離れる方向へ延出する短い切込線４４と、切込線４４の先端に連続し端部１６ａと折罫線２６が交差する角部に達する開封補助折罫線４６とで周囲と区切られて、変形した四角形状に設けられている。開封補助片４７の、端部１６ａと破断線４０で囲まれた角部は、面取りされている。
【００１５】
側面１８の、側面１６の端部１６ａに連接する端部には、台形状の上フラップ４８が折罫線５０で区切られて設けられている。側面１８の、折罫線５０と反対側の端部には、台形状の底フラップ５２が折罫線５４で区切られて設けられている。
【００１６】
側面２０の、側面１８の折罫線５０に連接する端部には、上蓋片５６が折罫線５８で区切られて設けられている。上蓋片５６の折罫線５８と反対側の端部には、さらに差込片６０が折罫線６２で区切られて設けられている。側面２０の、折罫線５８と反対側の端部には、底蓋片６４が折罫線６６で区切られて設けられている。底蓋片６４の折罫線６６と反対側の端部には、さらに差込片６８が折罫線７０で区切られて設けられている。
【００１７】
次に、この実施形態の開封補助機能付包装用箱１０の組立方法の一例について説明する。なお、ここでは図３が開封補助機能付包装用箱１０の箱体形成片１２の表面を見たものであり、箱体形成片１２の表面が凸になる折り方を正折り、そして裏面が凸になる折り方を逆折りと称する。
【００１８】
まず、折罫線２８を正折りし、次に糊付片２２の表面に糊７２を塗布する。次に、折罫線２４を正折りして、糊付片２２の表面が側面１４の裏面に糊付けされる。これにより箱体形成片１２は折り畳み状態となり、この状態で出荷される。
【００１９】
次に、内容物を収容し包装する工場等において、折罫線２４，２６，２８，３０を各々９０度に正折りして四角形の箱体にする。次に、折罫線３８，５４で底フラップ３６，５２を正折りし、その後、折罫線６６で底蓋片６４を正折りし、さらに折罫線７０を正折りして差込片６８を側面１６の内側に差し込み、底部が形成される。
【００２０】
この状態で内容物を箱体の中に入れ、折罫線３４，５０で上フラップ３２，４８を正折りし、その後、折罫線５８で上蓋片５６を正折りし、さらに折罫線６２を正折りして差込片６０を側面１６の裏面側に差し込み、閉鎖する。このとき、側面１６の封止用糊付片３９の裏面に糊７４を塗布し、差込片６０の表面に糊付けし、図２に示すように閉鎖した状態となる。封止用糊付片３９と上蓋片５６をテープ止めで封緘してもよい
次に、この実施形態の開封補助機能付包装用箱１０の開封方法について説明する。まず、図１に示すように側面１６の一対の開封補助片４７の一方を、端部１６ａから引き起こすように外側へ力を加える。すると破断線４０が切断され、さらに力を加えて開封補助片４７を開封補助折罫線４６で逆折りして外側に開き図１に示す状態となる。このとき封止用糊付片３９は、他方の破断線４０のみで側面１６と連続している状態となり、指で封止用糊付片３９を上に押し上げて簡単に他方の破断線４０を切断し、差込片６０と側面１６の連結が解除され開封される。開封した後は、側面１６の端部１６ａが、封止用糊付片３９よりも広く切除されるため、内容物が密に収容されているときも、側面１６の切り取られた部分から容易に取り出すことができる。
【００２１】
この実施形態の開封補助機能付包装用箱１０によれば、簡単な構造で容易に開封することができる。特に、開封補助機能付包装用箱１０に内容物が密に収容されていても、開封の際に内側に開封補助機能付包装用箱１０の一部を押し込む必要がないため、内容物が支障とならず、開封することができる。開封補助片４７を開くと、封止用糊付片３９は他方の破断線４０のみで側面１６と連続している状態となり、弱い力で簡単に破断線４０を切断して開封することができる。さらに、開封補助辺４７を両側に開くことにより、さらに開封が容易になる。また、力が弱い人や手が不自由な人も簡単に開封することができ、開封した後は、側面１６の端部１６ａが、封止用糊付片３９よりも広く切り欠かれるため、内容物が密に収容されていても、側面１６の切り欠かれた部分から簡単に取り出すことができる。さらに、開封補助片４７は、角部が面取りされているため指がかかりやすく、開封しやすいものである。
【００２２】
なお、この発明の開封補助機能付包装用箱は、上記実施形態に限定されるものではなく、封止用糊付片や開封補助片等の各部材の形状は変更可能であり、糊付け方法も変更しても良い。箱体の形状や大きさも、内容物に合わせて適したものに変更することができる。開封補助片は、糊付片の片側に１個設けられていてもよい。開封補助片の形状や開封方法も自由に変更可能である。
【符号の説明】
【００２３】
１０  開封補助機能付包装用箱
１２  箱体形成片
１４，１６，１８，２０  側面
２２  糊付片
３９  封止用糊付片
４０  破断線
４２  切断線
４４  切込線
４６  開封補助折罫線
４７  開封補助片
５６  上蓋片
６０  差込片
【図１】
2011011750.tif 000003
【図２】
2011011750.tif 000004
【図３】
2011011750.tif 000005